(57)【要約】【課題】太陽の高度の変化は、一日における太陽の移動、春夏秋冬における太陽の公転、地球の緯度の違いによって生じる。よって平面に敷設された太陽電池面における受光量は大きく変化し受光効率は低い。限られた占有面積における受光効率の高い受光装置、発電装置が待たれていた。【解決手段】支柱の上先端に略上方向に向きする太陽電池面を具備し、前記太陽電池面の下方向に支柱の側面に水平面に対して略垂直方向の太陽電池面を具備して、前記二つの方向に向きする太陽電池面の外側に太陽の光を同時に受光させ電力を得る手段による。【選択図】図３
2014175522.tif 000002
【特許請求の範囲】
【請求項１】
略上方向に向きする太陽電池面と、前記太陽電池面の上側または下側に略垂直方向に向きする太陽電池面とを具備し、前記二つの方向に向きする太陽電池面に太陽の光を同時に受光し電力を得る事を特徴とする太陽電池の受光装置。
【請求項２】
支柱の上先端に水平面に対して略上方向に向きする太陽電池面と、支柱の側面に水平面に対して略垂直方向に向きする太陽電池面を具備し、前記二つの方向に向きする太陽電池面に太陽の光を同時に受光し電力を得る事を特徴とする請求項１記載の太陽電池の受光装置。
【請求項３】
立体の柱状の上面に略上方向に向きする太陽電池面と、立体の柱状の側面に略垂直方向に向きする太陽電池面を具備して、前記二つの方向に向きする太陽電池面に太陽の光を同時に受光し電力を得る事を特徴とする請求項１記載の太陽電池の受光装置。
【請求項４】
略上方向に向きする太陽電池面が水平面に対して傾斜している事を特徴とする請求項１から請求項３までに記載のいずれかの太陽電池の受光装置。
【発明の詳細な説明】
【技術分野】
【０００１】
立体的に配置された太陽電池面による受光装置と発電装置に関する。
【背景技術】
【０００２】
通常、太陽電池による発電においては、太陽電池面を屋根等に略平面状に並べて設け受光発電し、インバータ機能付きコンデショナ機器により余剰の電力が発生した場合は商用電力線に送って売電される。この方法は電力が余剰の場合は売電、不足の場合は商用電力線から電力を得ている。
【０００３】
前記、屋根等に平面状に並べられ設置された太陽電池面は、太陽の移動により常に太陽電池面に光が垂直に当たっている訳でなく、１日の朝方から夕方までにおける受光量はかなり少ない。
この様に設置された太陽電池では、一般においてこの様に略平面状に並べられた太陽電池における発電量は、一日平均約３〜４時間が発電時間とされている。
また前記、屋根等に平面状に並べられ設置された太陽電池面の受光においては、春夏秋冬の季節により太陽の高度の違いを生じるので、太陽電池面には常には光が垂直に当たっていない。
【０００４】
太陽電池を架台に設置し、太陽電池面の方向を夏の太陽高度に合わせて傾斜させた場合では、夏の間においては太陽電池面に太陽の光を略垂直に受光できるが、冬は太陽電池面に太陽からの光は斜めに照射される事になり、太陽電池の発電効率は大きく低下する。
また反対に太陽電池面の方向を冬の太陽高度に合わせた場合では、冬の間においては太陽電池面に太陽の光を略垂直に受光できるが、夏でもこの状態で太陽電池を使用すると、太陽からの光は斜めから受光される事になり、この様に太陽電池の発電効率は季節の違いにより大きく低下する。
よって太陽からの受光角度が太陽電池面にできるだけ垂直になる様に、春夏秋冬に合わせて定期的に太陽電池面の傾きを人の手で変えていたが大変な労力を要していた。
【０００５】
上記屋根等に平面状に並べられ設置された太陽電池面による発電、架台に設置した太陽電池面による発電、限られた占有面積において太陽電池による発電にては太陽追従、太陽追尾等の各種方法の発電装置がある。これらの方式は太陽の光が太陽電池面に垂直に受光する様に、電動機等によって太陽電池面を太陽の移動方向に常に移動させる制御を行なっているものである。これらは、むずかしい三次元の制御と高価な設備投資が必要とされるばかりでなく、野外で用いる為に積雪や風圧に弱いと言う問題があった。また風圧や積雪による問題を克服する為に、頑丈な構造の装置にせざるを得なかった。
【０００６】
太陽追従、太陽追尾等における太陽方向に移動させる発電においては、発電量は略水平に配置された占有面積の太陽電池の約１．６〜１．７倍の発電が行なう事ができる。
この方法では、太陽電池面に常に略垂直に光が受光されるので、略一定の受光量が得られるが、その受光量は朝昼夕において、天候、大気の水蒸気量、塵等の状態によって常に均一とはならない。
【０００７】
一日間の朝昼夕における太陽の東から西への移動、春夏秋冬の季節における太陽の高度の変化により、他の方法による占有面積当たりの発電量を大きく得る方法が見いだされていない。
【０００８】
既に展示会や市場においては、図１の様に支柱の先端に略上方向に向きする太陽電池面のみを設けたタイプの受光装置や発電装置の電源がある。この様なタイプの受光装置は、一日間の日の出、日中、夕日における太陽の高度の変化、太陽の移動、また春夏秋冬の季節の違いにより太陽の高度と、日の出、日の入り方向が異なる為に、その受光効率はかなり低い。
支柱の先端に略上方向に向きする太陽電池面のみを設けたタイプの受光装置や発電装置は、屋根に設置された平面状に並べられた太陽電池の小型版と言える。
【０００９】
図２のグラフに示す様に一日間の朝昼夕において昼の間は最大値の受光発電を行なえるが朝夕においてはかなり低い発電となる。よって太陽電池面を平面状にいかに広く設けても図２の受光量のグラフの相似形になるばかりであり受光発電効率はよくない。
【００１０】
また図１の支柱の先端に略上方向に向きする太陽電池面１に積雪があると、受光発電を全く行えない。
【００１１】
今まで立体的に太陽の光を受光する太陽電池の出願は見当たらない。
特許文献１は「折畳可能な太陽追従タイプの太陽電池」による発電装置である。
【特許文献１】特開２０１０−２１９３１８公報
【発明の概要】
【発明が解決しようとする課題】
【００１２】
前記の様に、平面状に並べられた太陽電池面の受光においては、一日間の朝方、昼間、夕方により太陽の高度が変わるばかりか、春夏秋冬の季節の変化により太陽の高度も変わるので、発電量が著しく変化する。
【００１３】
一日間の朝方、昼間、夕方の太陽の「高度の変化」と、春夏秋冬の「太陽の高度」の変化に対しても、一定の占有面積において一定以上の受光量が確保できる発電する受光装置、発電装置、電源の出現が待たれていた。
【００１４】
一日間における朝方、昼間、夕方の「太陽の移動」においても、受光量が高く且つ受光量が略一定以上であって、一定の太陽電池面の占める占有面積において、一定以上の受光量が確保できる発電方法の電源が待たれていた。
【００１５】
平面状に並べられた太陽電池面の受光においては、太陽電池の広さを倍にしても、受光量は図２に示す様なグラフと相似形となり、日中における受光量のみが突出して増すだけであり、朝方、夕方における受光量は激減したままである。よって総発電量を増すため太陽電池面の広さを増すと日中は蓄電池による充電においては過電流状態になり蓄電池の劣化の原因になったり、発生する電力の全てを充電できなかったりする。よって１日間の朝昼夕において太陽が出ている間においては、略一定以上の発電量が確保できる太陽電池による電源が待たれていた。
【００１６】
図１に示す略上方向のみの太陽電池面を具備した電源における太陽高度の違いによる受光量の変化を示す。
（太陽電池面に光を垂直に照射した時の受光量を１００とし、単位なしの受光量比で示す。）
太陽光が太陽電池面への垂直に対して一定角度の傾斜で入射するとき
角度        略上方向の太陽電池面のみによる受光量
０°                １００
１５°                  ９６
３０°                  ８６
４５°                  ７０
６０°                  ５０
７５°                  ２６
【００１７】
地球の公転における夏冬の間の見掛けの地球の傾きは最大で２３．４°×２＝４６．８°あり、受光地点の緯度の相違も加わって、上記の様に太陽の高度の変化により略上方向に向きする太陽電池面のみによる受光量は２６〜１００と大きくばらつく。よって受光する地点の緯度の相違において日の出位置、日中位置、日没位置が変化するので、日の出ている間において、受光量を一定以上とできる太陽電池により発電をする手段が待たれていた。
【００１８】
特に冬は太陽の高度が低いので、屋根等に略平面状に設置された太陽電池の受光量は少なく発電量は低くなっていた。冬でも夏と同じ位の発電量と受光量によって発電できる受光装置や発電装置が待たれていた。
【００１９】
略平面状に設置された太陽電池面の受光では、一日間の朝方、昼間、夕方における太陽電池の受光量は著しく異なり、朝夕は受光量が著しく低下する。
朝方、夕方の発電量も昼間と略同じ位に発生できる一定の受光量が得られる太陽電池による受光装置や発電装置が待たれていた。
【００２０】
また積雪によって、略上方向に向きする太陽電池面のみでは発電しなくなる。積雪においても発電を可能とする太陽電池による受光装置や発電装置が待たれていた。
【課題を解決するための手段】
【００２１】
略上方向に向きする太陽電池面のみの電源においては、受光量は太陽の高度が高く太陽電池面に垂直に太陽の光を受光させた時が最大の受光量となる。
太陽の高度が低くなるに従って太陽電池面の受光量は減少する事となる。
本発明においては、前記の略上方向に向きする太陽電池面の他に、もう一つの太陽電池面である、前記略上方向に向きする太陽電池面に対して略垂直方向に向きする太陽電池面を具備させる手段を用いる。
【００２２】
第一として、水平面に対して略上方向に向きする太陽電池面と、前記太陽電池面の上側または下側に水平面に対して略垂直方向に向きする太陽電池面とを具備し、前記二つの方向に向きする太陽電池面に太陽の光を同時に受光し発生する電力を得る事を特徴とする受光方法や発電方法、の手段を用いる。
【００２３】
第二として、水平面に対して略上方向に向きする太陽電池面と、前記太陽電池面の上側または下側に水平面に対して略垂直方向に向きする太陽電池面とを具備し、前記二つの方向に向きする太陽電池面に太陽の光を同時に受光し発生する電力を得る事を特徴とする受光装置や発電装置、の手段を用いる。
【００２４】
第三として、支柱の上先端に水平面に対して略上方向に向きする太陽電池面と、支柱の側面に水平面に対して略垂直方向に向きする太陽電池面を具備して、前記二つの方向に向きする太陽電池面に太陽の光を同時に受光し発生する電力を得る事を特徴とする受光装置や発電装置、の手段による。
【００２５】
第四として、支柱の上先端に水平面に対して略上方向に向きする太陽電池面と、支柱の側面に水平面に対して略垂直方向に向きする太陽電池面を具備して、少なくとも前記略垂直方向に向きする太陽電池を前記支柱を略中心として水平方向に回転させる事を特徴とすると共に、前記二つの方向に向きする太陽電池面に太陽の光を同時に受光し発生する電力を得る事を特徴とする受光装置や発電装置、の手段による。
【００２６】
第五として、支柱の上先端に水平面に対して略上方向に向きする太陽電池面と、支柱の側面に水平面に対して略垂直方向に向きする太陽電池面を具備して、前記略垂直方向に向きする太陽電池面が前記支柱を囲む様に配置されている事を特徴とすると共に、前記二つの方向に向きする太陽電池面に太陽の光を同時に受光し発生する電力を得る事を特徴とる受光装置や発電装置、の手段による。
【００２７】
第六として、立体の柱状の上面に略上方向に向きする太陽電池面と、立体柱状の側面に略垂直方向に向きする太陽電池面を具備して、前記二つの方向に向きする太陽電池面に太陽の光を同時に受光し発生する電力を得る事を特徴とする受光装置や発電装置、の手段による。
【００２８】
第七として、立体の柱状の上面に略上方向に向きする太陽電池面と、立体柱状の側面に略垂直方向に向きする太陽電池面を具備して、前記二つの方向に向きする太陽電池を共に水平方向に回転させ、前記二つの方向に向きする太陽電池面に太陽の光を同時に受光し発生する電力を得る事を特徴とする受光装置や発電装置、の手段による。
【００２９】
第八として、前記第一から第七までの手段において、略上方向に向きする太陽電池面を水平面に対して傾斜させて設置する手段による。
【００３０】
全ての請求項に共通な事は、太陽電池面を、略上方向に向きする太陽電池面と、略垂直方向に向きする太陽電池面の二つに分けて立体的に設置して、前記二つの太陽電池面が成す二面角を基本的に略直角に配置し、前記二つの太陽電池面に太陽の光を同時に受光した場合においては、発生する電力にて発電する事を特徴とする受光装置や発電装置の手段である。
【００３１】
本発明では、前記二つの太陽電池面が成す二面角の外側に太陽電池面を設けたタイプをＡタイプ、二面角の内側に太陽電池面を設けたタイプをＢタイプとしている。
略上方向に向きする太陽電池面については水平面に対して傾斜を設ける場合もある。
【発明の効果】
【００３２】
略上方向に向きする太陽電池面１のみにおいては、受光量は太陽電池面に垂直に太陽の光を受光させた時が最大の受光量となり、太陽の高度が低くなるに従って太陽電池面１の受光量は減少する事となる。
本発明においては、前記の略上方向に向きする太陽電池面１の他に、もう一つの太陽電池面である略垂直方向に向きする太陽電池面３を一緒に組み合わせ具備させる事により、略上方向に向きする太陽電池面１における受光量が減少するに従い、略垂直方向に向きする太陽電池面３の受光量は逆に増大する。よって太陽の高さ高度に係わらず一定以上の受光量を得られると言う効果がある。
【００３３】
一日間の太陽の昇る時から日の沈むまでを実験において、従来の方法である略平面状に並べて設けられた太陽電池のみでは図２の様に２２〜１００と受光量は大きく増減する。
【００３４】
図６の実験では、春夏秋冬における太陽の高度の変化に係わらず、略上方向に向きする太陽電池面１の受光量と、略垂直方向に向きする太陽電池面３における受光量との和は太陽の高度の変化に対して１２２〜１４１と大きく増減を生じない収束した受光量が得られる効果があった。
【００３５】
本発明の図８の装置の実験では、太陽は真東から昇り真上を通過し、真西に沈むと太陽が移動をするとした場合、光源により常に１００以上の受光量が得られる効果がある。（受光角度を１５°〜１６５°とした。）
日の出、日の入りにおいては、山、遠方の雲による光の遮蔽、地球の円形における接線上にて太陽の光が大気中を斜めに通過する為に光はかなり減哀するがこれらを無視すれば、太陽は真東から昇り、略真上を通過して真西に沈むとした太陽移動時における調査実験結果では１００〜１４１の収束した略一定量の受光量が得られた。
【００３６】
図８の右側面図に示す様に、上記１００〜１４１における受光量は、太陽が真東から昇り真上にて日中し、真西に沈む場合の数値である。太陽が略上方向に向きする太陽電池面１の真上にある場合は略上方向に向きする太陽電池面１にてのみにて得られた受光量となり、受光量は１００となっている。
しかし日本国土および世界の国々のほとんどの地域においては緯度が０°ではなく、太陽の位置は略上方向に向きする太陽電池面１に対して垂直でなく、太陽は常に斜めの高度を保っている。よって南方向（９０°）に向きにおいては、水平線に対して略垂直方向に向きする太陽電池面３と略上方向に向きする太陽電池面１にて共に受光するので、太陽の高度が４５°の時では前記二つの方向に向きする太陽電池面に太陽の光を同時に受光した場合の受光量は最大で１４１となる。
【００３７】
よって緯度が０°でない地域の実際の受光量は、図７のグラフに示す図の様に朝方、夕方においては１００となるが、９０°の日中における受光量においては必ずしも最小の１００の二段の山とならず、最大で１４１の受光量となり得る。よって日本の国土においては日中でも１００〜１４１の値に比べ、より収束した受光量の値が得られる効果がある。
【００３８】
略上方向に向きする太陽電池面１のみの受光装置や発電装置では、使用する場所の緯度の違いに伴なって太陽の高度の違いにより受光量の違いも発生する。
本発明の電源においては、略上方向に向きする太陽電池面１と略垂直方向に向きする太陽電池面３の二つを具備する事により、本装置を使用する場所における緯度の高低に係わらず一定以上の受光量を確保でき、販売地域の緯度の相違により受光量が大きく変化すると言う問題が発生しない効果がある。
よって緯度の違いによる個別の製品を作成する事がなく、すべての製品を均一化した製品を製造販売できる効果がある。
【００３９】
略上方向に向きする太陽電池面１と垂直方向に向きする電池面３を具備する事により、緯度の高い地域から緯度に低い地域まで受光装置または発電装置を使用する事ができる。
【００４０】
春夏秋冬における朝方の日の出位置、夕方の日没位置を考慮しなければ、春夏秋冬の太陽の高度の変化、太陽の移動においても受光量は略一定以上を確保できる。
略上方向に向きする太陽電池面１の他に、略垂直方向に向きする太陽電池３を東西南北の複数方向に設けるか、略垂直方向に向きする太陽電池３を水平に回転させる事により、朝日から日中、日没まで受光ができる。太陽電池面を太陽の方向に制御して受光する太陽追従型、太陽追尾型の太陽電池と略同じ効果が得られる。朝日から夕日までの受光が可能の為に１日において時間値を乗した大きな全発電量を得る事がでる。
【００４１】
太陽電池を、略上方向に向きする太陽電面池面１と垂直方向に向きする太陽電池面３の二つの面を具備する立体形とする事により、上方向に向きする太陽電池面１が略水平に上方向に設置されておれば、上方向に向きする太陽電池面の面積が、本電源の占有面積となり、一定の占有面積において一定量以上の受光量を確保できた効果がある。
垂直方向に向きする太陽電池面においては太陽電池の厚さが専有面積の一部となるが、その面積は僅かなものである。
【００４２】
一定の占有面積にて、一日間における太陽電池の受光量は、朝日、夕日においても１００以上の略一定以上の受光量が得られる効果がある。
【００４３】
一定の占有面積において、受光効率が高く、朝から夕方まで受光時間を長く得られる受光装置、発電装置を得られた。よって一定の発電量を得る電源において、相対的に太陽電池面を小さくできる効果もある。
【００４４】
図１８、図１９に示すＢタイプにおいては、略上方向に向きする太陽電池面１と、前記太陽電池面の上側または下側に略垂直方向に向きする太陽電池面３とを具備し、前記二つの方向に向きする太陽電池面に太陽の光を同時に受光させる電源においては、直射日光による受光以外に反射波による受光量を得る事が期待できる効果がある。
図１８、１９においては、略上方向に向きする太陽電池面１からの反射光は、略垂直方向に向きする太陽電池面３に受光される。また略垂直方向に向きする太陽電池面３からの反射光は、略上方向に向きする太陽電池面１にて受光されると言う効果もある。
【００４５】
略上方向に向きする太陽電池面１に積雪があって受光しない場合でも、略垂直方向に向きする太陽電池面３には積雪しないので、略垂直方向に向きする太陽電池面３には、太陽光が雪の表面により反射した光を受光する事ができる効果がある。
【００４６】
略上方向に向きする太陽電池面は支柱の上先端、又は立体の柱状の上面に固定されており、略垂直方向に向きする太陽電池面は、支柱や柱状の側面に固定されているので、太陽追従、太陽追尾の方式が可動部分であるので比べると、積雪や風に強い。
【００４７】
略上方向に向いた太陽電池面１と共に、略垂直方向に向いた太陽電池面３を具備した本装置によって、前記二つの太陽電池面の面積を相対的に小さくする事ができる。よって、太陽電池面１，３を小さくする事により、太陽電池面１，３による風圧の影響も発生しにくくなる効果もある。
【００４８】
蓄電池においては、日中だけ急速充電を行うより、朝、昼、夕と継続した長い時間において適量の一定の電気を蓄電器に蓄電する方が蓄電池の寿命を延ばせて劣化の問題が進行しにくくなる観点からしても良い効果がある。
【００４９】
本発明によって、垂直方向の太陽電池面３を水平方向に回転させる簡単な二次元制御を行なえばよい。太陽追従、太陽追尾型の様にむずかしい従来の三次元制御の必要がなくなった。
【００５０】
以下、太陽光の入射角における太陽電池の受光量について上記の効果の根拠と理由を図４、図５、図１８、図１９に示して説明をする。
水平線に対して略上方向に向きする太陽電池面１と、水平線に対して略垂直方向に向きする太陽電池面３をそれぞれθ＝９０°の関係にて仮定して固定して実験した。
【００５１】
図４（Ａタイプ）および図１８（Ｂタイプ）は夏の略南中時の太陽の状態を示す。
冬に比べて太陽の高度は高く、入射角α１と入射角β１の和はα１＋β１＝９０°となる。
図５（Ａタイプ）および図１９（Ｂタイプ）は冬の略南中時の太陽の状態を示す。
夏に比べて太陽の高度は低く、入射角α２と入射角β２の和はα２＋β２＝９０°となる。
【００５２】
夏は太陽の高度が高く、入射角α１と入射角β１の和はα１＋β１＝９０°であり、冬は太陽の高度は低いが、入射角α２と入射角β２の和はα２＋β２＝９０°となる。
つまり太陽の高度に係わらず、常に太陽電池面に対して太陽の光にが垂直に受光している時と同じ値となるかも知れないと仮定した。
【００５３】
しかしながら、略上方向に向きする太陽電池１と、略垂直方向に向きする太陽電池３の受光量（各角度αβにおける受光量をアンダーラインを記して表す）はα１＋β１＝α１＋β２とはならない。ＣＯＳθの関数により、太陽電池面における垂直に照射される受光量を１００としても、上方向に向きする太陽電池と垂直方向に向きする太陽電池の二枚において均等に照射する４５°の照射角における受光量の値は１４１となる。
【００５４】
太陽電池の出力は、太陽光が太陽電池の受光面に垂直に入射する場合に、その光度での最大出力をもたらす。
同じ光度でも、太陽光が太陽電池面への垂直に対してθ度の傾斜で入射するとき（入射角がθ度の時）太陽電池面に入射する光量はCOS（θ＝０の時  COSθ＝１．０＜｜αorβ｜＜ｎ／２では０＜COSθ＜１）倍に減少するため出力もCOSθに減少すると言われている。
【００５５】
今まで例えば、略上方向に向きする太陽電池面１と、略垂直方向に向きする太陽電池面３を組み合わせて具備しても、実際の直射日光の受光量がどの様になるか推測できなかった。
【００５６】
略上方向に向きする太陽電池面１と、略垂直方向に向きする太陽電池３の受光量はα１＋β１、α１＋β２の値が略一定以上と仮定すれば、太陽電池面１と太陽電池面３の受光量と発電量の和は、一枚における太陽電池の表面に太陽からの光が直角に照射したと受光量、発電量と粗同じ値となるだろうか実験にて確かめた。
【００５７】
つまり略上方向に向きする太陽電池面１と、略垂直方向に向きする太陽電池面３の前記二つに方向における受光量の和、発電量の和が、一枚における太陽電池面に太陽からの光が垂直に受光した時の受光量以上であり、各受光角度においての値が収束しておれば、この方式は使えると判断される。
【００５８】
実験の結果、略上方向に向きする太陽電池面１と、略垂直方向に向きする太陽電池面３の両方を組み合わせて具備し、前記二つの方向に向きする太陽電池面に太陽の光を同時に受光させる事により、全く異なった特性が得られた。
太陽電池面１と太陽電池面３による受光量の和は、一枚における太陽電池面１に太陽からの光が垂直に受光した時の受光量以上であり略収束した一定以上の数値が得られた。
【００５９】
内容は変わって、図６の上図は太陽の高度の変化による受光量についての調査である。
略上方向の太陽電池面１と略垂直方向の太陽電池面３との、両太陽電池の受光量の和を求めた。以後、単位なしの受光量比で示す。
（水平面に対して略上方向に向きする太陽電池面１と、略垂直方向に向きする太陽電池面３共、略同等の特性のものを用いた場合で示す。）
照射角度    略上方向の太陽電池面１と略垂直方向の太陽電池面３の受光量の和
１５°                ９６．６＋２５．９≒１２２
３０°                ８６．６＋５０．０≒１３６
４５°                ７０．７＋７０．７≒１４１
６０°                ５０．０＋８６．６≒１３６
７５°                ２５．９＋９６．６≒１２２
【００６０】
この様に、略上方向に向きする太陽電池面１と、略垂直方向に向きする太陽電池３の両方を組み合わせて具備させ、前記二つの方向に向きする太陽電池面に太陽の光を同時に受光させた実験を行う事により、
太陽の高度の変化に対して１２２〜１４１の収束した受光量が得られた。
【００６１】
図６の下図の様に、略上方向の太陽電池面１を、太陽の高度と直角になる様にθ２＝３０°傾けた場合では、略垂直方向の太陽電池面３と、前記二つの太陽電池の受光量の和は
照射角度    略上方向の太陽電池面１と略垂直方向の太陽電池面３の受光量の和  
３０°                  １００＋５０＝１５０
４５°                    ９７＋７１＝１６８
６０°                    ８７＋８７＝１７４
７５°                    ７１＋９７＝１６８
【００６２】
同様に、太陽の高度の変化に対して１５０〜１７４の収束した受光量が得られた。この様に上方向に向きする太陽電池面１は水平面状態にした時より、斜めにした方が多い受光量を得る事ができる効果があった。
【００６３】
この様に上方向に向きする太陽電池面１の角度を例えばθ２＝３０°としたのは、設計時には、太陽電池面１上の雨や雪の流せる様に、また太陽の光が太陽電池面１に垂直に受光する様に、略上方向に向きする太陽電池１にθ２の傾きを持たせる場合が多い。
【００６４】
また、略上方向に向きする太陽電池面１と略垂直方向に向きする太陽電池面３の二つの太陽電池面を具備した電源を南方向に取り付けた場合、春夏秋冬における太陽の高度の変化に対して、季節の相違に関わらず、前記二つの太陽電池の和によって受光量の変化を最小限にする事ができる効果もある。
よって今まで架台等に設置された太陽電池面では、受光効率を高める為に夏冬等の太陽高度に合わせて太陽電池面の角度を調整していたが、この様な作業の必要はなくなった。
【００６５】
次に、上方向に向きする太陽電池面１のみを用いて、日の昇る時から日の沈む時までにおいて、太陽電池の受光量を調べた。この結果を図２にグラフで示す。縦軸が受光量であり横軸が太陽の方向である。
太陽は真東から昇り、真上を通過して真西に沈むとした調査実験結果である。
真東および真西における太陽からの受光量は、日の出（１８０°）、日の入り（０°）においては丸い太陽が地平線や水平線に半分のみ表れている場合があるので、受光量の数字はここでは明記しない。
太陽電池面に垂直に照射された光の時の受光量を１００とする。
太陽光が太陽電池面への垂直に対してθ度の傾斜で入射するとき
照射角度・方向      略上方向の太陽電池のみでの受光量
１５°                  ２６
３０°                  ５０
４５°                  ７０
６０°                  ８６
７５°                  ９６
９０°                １００
１０５°                  ９６
１２０°                  ８６
１３５°                  ７０
１５０°                  ５０
１６５°                  ２６
この様に入射角の変化により、受光量は２６〜１００までばらつく。
【００６６】
次に図８の実施例２において、略上方向に向きする太陽電池面１、太陽電池面７、太陽電池面５、太陽電池面３の太陽電池を具備させた本装置により太陽電池の受光量和を調査し実験を行った。太陽は真東から昇り、略真上を通過して真西に沈むとしたので、今回は太陽電池面３は用いない調査実験結果である。
【００６７】
その結果、略上方向の太陽電池と、略垂直方向の太陽電池と、両太陽電池の受光量の和は図７に示す様になった。
縦軸が受光量であり横軸が太陽の方向で、図８と相対している。
照射角度      略上方向の太陽電池と略垂直方向の太陽電の受光量の和
１５°              ２５．９＋９６．６≒１２２
３０°              ５０．０＋８６．６≒１３６
４５°              ７０．７＋７０．７≒１４１
６０°              ８６．６＋５０．０≒１３６
７５°              ９６．６＋２５．９≒１２２
９０°            １００．０＋  ０    ＝１００
１０５°              ９６．６＋２５．９≒１２２
１２０°              ８６．６＋５０．０≒１３６
１３５°              ７０．７＋７０．７≒１４１
１５０°              ５０．０＋８６．６≒１３６
１６５°              ２５．９＋９６．６≒１２２
【００６８】
この受光量は太陽が昇り始めて略上方向に向きする太陽電池面１の真上を通過して沈むまでの本装置における受光量は図７に示す様である。１５°から７５°までは太陽電池面１，７にて受光し、９０°の時は太陽電池面１のみにて受光し、１０５°から１６５°までは、太陽電池面１，５にて受光する。
【００６９】
この様に、略上方向に向きする太陽電池面１と、略垂直方向に向きする太陽電池面３を朝日の昇る方向に太陽電池面７と、夕日の沈む方向に太陽電池面５の三枚の太陽電池を各方向に向かせて具備させて測定した所、太陽の昇る時から日の沈むまでを実験において１２２〜１４１の収束した受光量が得られた。
【００７０】
次の様に実施例においては、太陽電池を支柱に取り付けて用いる種類と、太陽電池を柱状立体に取り付けて用いる種類の２種類がある。
【図面の簡単な説明】
【００７１】
【図１】従来の方法、支柱の先端のみに上方向に太陽電池面を具備する受光装置
【図２】従来の方法における１日の受光量を示すグラフ
【図３】実施例１に示す、上方向に向きする太陽電池と垂直方向に向きした太陽電池を具備し支柱に取付けられた太陽電池（Ａタイプ）
【図４】太陽の高度による夏の日中の太陽電池への入射角の例（Ａタイプ）
【図５】太陽の高度による冬の日中の太陽電池への入射角の例（Ａタイプ）
【図６】太陽の高度の変化による太陽電池への受光角の例
【図７】本発明における１日の太陽の方向と受光量の関係を示すグラフ
【図８】実施例２の水平線に対して垂直方向で東西南に向きする太陽電池を具備する電源と一日における太陽の移動による略垂直方向に向きする太陽電池面への入射角
【図９】実施例３に示す、略垂直方向に向きする□状の太陽電池面の受光装置または発電装置。
【図１０】実施例４に示す、略垂直方向に向きする太陽電池面を前記水平面に対して略垂直方向を軸として電動機により前記軸を中心として水平方向に回転させる受光装置または発電装置。
【図１１】実施例５に示す、上部が可動の太陽電池（Ａタイプ）
【図１２】実施例６に示す、箱体に取付けられた太陽電池（Ａタイプ）
【図１３】実施例７に示す太陽電池群の受光装置や発電装置（Ａタイプ）
【図１４】実施例８の太陽電池の応用組み合わせ（Ａタイプ）
【図１５】実施例９に示す、箱体が可動箱体と固定箱体に上下が分かれ、上部が電動機等により回転する太陽電池の受光装置や発電装置（Ａタイプ）
【図１６】実施例１０に示す、朝、昼、夕に受光できる様に箱体に取付けられた太陽電池面のある受光装置や発電装置（Ａタイプ）
【図１７】実施例１２に示す、上方向に向きする太陽電池と垂直方向に向きした太陽電池を具備し支柱に取付けられた太陽電池（Ｂタイプ）
【図１８】太陽の高度による夏の日中の太陽電池への入射角の例（Ｂタイプ）
【図１９】太陽の高度による冬の日中の太陽電池への入射角の例（Ｂタイプ）
【図２０】実施例１３に示す、上部が可動の太陽電池（Ｂタイプ）
【図２１】実施例１４に示す、ホルダに取付けられた太陽電池（Ｂタイプ）
【図２２】実施例１５に示す、箱体が可動箱体と固定箱体に上下が分かれ、上部が電動機等により回転する太陽電池面による受光装置や発電装置（Ｂタイプ）
【図２３】実施例１６に示す太陽電池群の受光装置や発電装置（Ｂタイプ）
【図２４】実施例１７に示す。L形柱に設けられた上方向に向きする太陽電池と垂直方向に向きする太陽電池の一関係（Ｂタイプ）
【図２５】実施例１８に示す太陽電池群の応用
【実施例１】
【００７２】
実施例１は図３に示す様に、支柱の上先端に水平面に対して略上方向に向きする太陽電池面１と、前記太陽電池面の下側にあり支柱の側面に略垂直方向に向きする太陽電池面３を具備して、前記二つの方向に向きする太陽電池面に太陽の光を同時に受光し発生する電力にて発電する事を特徴とする受光装置や発電装置である。
【００７３】
また、略上方向に向きする太陽電池面と、前記太陽電池面の上側にあり内側面に略垂直方向に向きする太陽電池面とを具備し、前記二つの方向に向きする太陽電池面に太陽の光を同時に受光し発生する電力を得る事を特徴とする受光装置や発電装置である。
【００７４】
上方向に向きする太陽電池面１と、前記太陽電池面の下側にあり、外側面に略
垂直方向に向きした太陽電池面３を組み合わせたＡタイプの例である。
図３に示す様に、略上方向に向きする太陽電池面１と、略垂直に向きして太陽からの光を受光できる方向に面する南向きに太陽電池面３を支柱２にアーム４を介して取り付けた構成図である。
光を受光できる方向は必ずしも南でなくてもよいが北半球では南の方向に太陽の南中位置があるので、この様に略日中に受光する事を目的とした受光装置、発電装置の場合、本発明により、春夏秋冬の季節による太陽の高度の変化の影響をほとんど受ける事がない。
【００７５】
図３では、略上方向に向きする太陽電池面１は、支柱２の上方の先端に取り付けられている。支柱２と略上方向に向きする太陽電池１は、例えばブラケットを介して取り付けられている。取り付け方法は多種多様であり、支柱２に水平面に対して略上方向に向きする太陽電池１が固定又は固着されていればよい。
【００７６】
また支柱２に対して略垂直方向に向きして太陽からの光を受光できる方向に面する太陽電池面３がアーム４を介して取り付けられている。アーム４は必ずしも必要なものではなく、略垂直に向きして太陽からの光を受光できる方向に面する太陽電池面３が受光できる状態であれば、はアーム４を介す事なしに直接支柱２に取り付けてもよい。
【００７７】
前記二つの太陽電池面１，３により発生する電気は配線を介して蓄電池やインバータやインバータ機能付きコンデショナ等に接続される。
【００７８】
支柱は角柱でも丸柱のいずれでもよい。
本実施例の用途としては、支柱に照明を具備させて道路や公園等の街灯に用いられるがこの限りではない
【実施例２】
【００７９】
実施例１では、受光は略垂直方向に向きする太陽電池面３は支柱２に南方向に取り付けられているので、略昼のみにおける受光で発電を目的とする場合に適当であるが朝日の昇る頃、夕日の沈む頃における受光はできない。
【００８０】
実施例２は図８に示す様に、支柱の上先端に水平面に対して略上方向に向きする太陽電池面１と、前記太陽電池面の下側にあり、支柱の側面に略垂直方向に向きする太陽電池面を具備して、前記二つの方向に向きする太陽電池面に太陽の光を同時に受光し発生する電力にて発電する事を特徴とする受光装置や発電装置である。
【００８１】
太陽が東から出て南中し西に沈むまでの一日間において、略一定の受光量を得る為に、略垂直方向に向きする太陽電池面３を南方向に、略垂直方向に向きする太陽電池面７を東方向に、水平面に対して略垂直方向に向きする太陽電池面５を西方向に設けて、朝昼夕と受光できる様に支柱２にアーム４を介して取り付けた受光装置、発電装置である。
【００８２】
この様に、本実施例においては、略上方向に向きする太陽電池面１を一面に具備している。また複数の略垂直方向に向きする太陽電池面３，５，７を設けている事を特徴としている。
【００８３】
太陽は東から昇ぼり日光は垂直の太陽電池７にて受光し、太陽が昇りながら東から南の方向に移動すると共に日光は略上方向に向きする太陽電池１と共に南方向に垂直方向に向きする太陽電池面３にも同時に受光する様になる。やがて太陽が南中する頃に日光は南方向に略垂直に向きする太陽電池面３と略上方向に向きする太陽電池面１にて受光される。更に太陽が西方向に向かうと共に略垂直方向に向きする太陽電池３と西方向に向きする太陽電池面５と共に上方向に向きする太陽電池１にて受光される。やがて西方向に垂直方向に向きする太陽電池５と略上方向に向きする太陽電池面１にて受光される。太陽が沈む頃には西向きの垂直方向に向きする太陽電池面５のみにて受光する。
【００８４】
この様に日光は上方向に向きする太陽電池面１と垂直方向に向きする太陽電池面７と南方向で垂直方向に向きする太陽電池面３と西方向で垂直方向に向きする太陽電池面５にて太陽の移動と共に日光は分散されて各太陽電池面にて受光される。
【００８５】
実施例２において、例えば夕方に受光する必要が無い場合、水平面に対して略垂直方向に向きする太陽電池面５は必ずしも必要としない。朝日から日中までの間に受光発電を目的とする受光装置、発電装置においては、水平面に対して略上方向の太陽電池面１と水平面に対して略垂直方向に向きする太陽電池面３、７を具備すればよい。
【００８６】
略上方向に向きする太陽電池面と、前記太陽電池面の下側にあり外側面に略垂直方向に向きする太陽電池面とを具備し、前記二つの方向に向きする太陽電池面に太陽の光を同時に受光し発生する電力を得る事を特徴とする受光装置または電源装置である。
【００８７】
支柱の上先端に水平面に対して略上方向に向きする太陽電池面１と、支柱の側面に複数の略垂直方向に向きする太陽電池面を具備し、前記二つの方向に向きする太陽電池面に太陽の光を同時に受光し発生する電力を得る事を特徴とする受光装置または発電装置でもある。
【００８８】
夕日における受光に用いる電源においては、略上方向に向きする太陽電池面１と、略垂直方向に向きする太陽電池面３を南方向に取り付け、太陽が日中してから水平線または地平線に沈むまで、太陽電池面１と太陽電池面５の受光量と発電量の和にて一定以上の発電量を得る事ができる。
【００８９】
略上方向に向きする太陽電池面１と略垂直方向に向きする太陽電池面３が設けられているので春夏秋冬における太陽の日中高度に係わらず、太陽電池１枚当たりの太陽電池面１と３における受光量の和は略一定とできる。
【００９０】
この様に実施例２においては、太陽が東から昇り南中し西に沈むまで、略上方向に向きする太陽電池面１と略垂直方向に向きする太陽電池面３、７、５によって太陽の移動に係わらず受光を互いに分散して行ない、春夏秋冬の太陽の高度の変化、一日における朝昼夕の太陽の移動に関わらず、一定以上の発電量を得る事ができる。
【００９１】
請求項は実施例１と同じである。
【実施例３】
【００９２】
実施例２においては、略垂直方向に向きする太陽電池面を、東向きの太陽電池面７、南向きの太陽電池面３、西向きの太陽電池面５と三枚の太陽電池をそれぞれ独立して配置した。実施例３では太陽電池面を一体として設けたものである。
【００９３】
図９は実施例３で、支柱の上先端に略上方向に向きする太陽電池面と、前記太陽電池面の下側の支柱の側面に略垂直方向に向きする太陽電池面を具備して、前記略垂直方向に向きする太陽電池面が前記支柱を囲む様に配置されている事を特徴とすると共に、前記二つの方向に向きする太陽電池面に太陽の光を同時に受光し発生する電力にて発電する事を特徴とする受光装置や発電装置である。
【００９４】
略垂直方向に向きする太陽電池面９はそれぞれ東向き、南向き、西向きになる様に上面から見て「コの字状」「△状」「○状」または「□状」に配置されている。
ここでは例として上面から見て「□状」の図を示す。
【００９５】
また実施例３においては略垂直方向に向きする太陽電池面９を上から見た時は、「△状」にて各辺を南向き、東北向き、西北向きに配置してもよい。略垂直方向の太陽電池面は腕４により数か所によって支えられている。
【００９６】
上記一体に取り付けられた略垂直方向に向きする太陽電池面は電気的に、各面を独立的に設けても良いし、一体的に設けても良い。
【００９７】
他は、実施例１，２と同様である。請求項は実施例１，２と同様である。
【実施例４】
【００９８】
実施例２および実施例３においては、東、南、西の各方向に略垂直な方向に向きする太陽電池面をそれぞれ設けている。
【００９９】
実施例４は図１０に示す様であり、支柱の上先端に略上方向に向きする太陽電池面１と、前記太陽電池面の下側にあり支柱の側面に略垂直方向に向きする太陽電池面３を具備して、前記略垂直方向に向きする太陽電池面を前記支柱を略中心として水平方向に回転させる事を特徴とすると共に、前記二つの方向に向きする太陽電池面に太陽の光を同時に受光し発生する電力を得る事を特徴とする受光装置や発電装置である。
【０１００】
。
本電源においては、略垂直方向に向けられ設けられた太陽電池面３を、必要な方向の東西南北方向等に電動機１０等により水平方向に回転させる事により、太陽の移動と共に一枚の太陽電池面３により必要の場合、東西南北等の各方向からの受光を行なえる事を特徴としている。
【０１０１】
この様に垂直方向の太陽電池面３を回転させる事により、太陽電池面を東、南、西等に移動させ、図８、図９の受光装置や発電装置と同じ効果を出す事ができる。この様にする事により、太陽電池のコストを下げると共に容易な二次元移動にて太陽追従タイプと同様な効果がある。
【０１０２】
略上方向に向きする太陽電池面１と、略垂直方向に向きする太陽電池面３からなり、前記略垂直方向に向きする太陽電池面３を前記略垂直方向を軸として電動機１０により前記軸を中心として水平方向に回転させる事を特徴とし、前記二つの方向に向きする太陽電池面に太陽の光を同時に受光し発生する電力を得る受光装置または発電装置である。
【０１０３】
一般に略垂直方向に向きする太陽電池面３は、東方向から南方向に回り更に西方向に
移動する。
これは略垂直方向に設けられた太陽電池面を実施例２、実施例３の様に垂直方向で東方向、南方向、西方向等に向きする各太陽電池面をそれぞれ具備する事無く一枚の太陽電池を電動機等により回転させて、略垂直方向に向きする太陽電池面を各方向に設ける事なしに各方向にて受光する事を達成するものである。
【０１０４】
略上方向に向きする太陽電池面と、前記太陽電池面の下側にあり外側面に略垂直方向に向きする太陽電池面とを具備し、前記二つの方向に向きする太陽電池面に太陽の光を同時に受光し発生する電力を得る事を特徴とする受光装置または発電装置である。
【０１０５】
支柱の上先端に略上方向に向きする太陽電池面と、支柱の側面に略垂直方向に向きする太陽電池面を具備して、少なくとも前記略垂直方向に向きする太陽電池面が前記支柱を略中心として水平に回転させる事を特徴とすると共に、前記二つの方向に向きする太陽電池面に太陽の光を同時に受光し発生する電力を得る事を特徴とする受光装置または発電装置とも言える。
【０１０６】
以下図１０の構成を説明する。支柱２の先端に略上方向に向きする太陽電池面１が取り付けられている。太陽電池面１と支柱２の取り付けは例えばブラケットを用いてもよい。また支柱２には略垂直に向きして太陽からの光を受光できる方向に面する太陽電池面３はアーム４によって電動機軸１２を介して電動機１０と減速機１１に取り付けられている。電動機１０はケース１４にて支柱２に固定されている。
【０１０７】
電動機１０は制御器により、太陽の一日の移動に応じて回転制御され、水平面に対して略垂直に向きして太陽からの光を受光できる方向に面する太陽電池３の移動の制御方法は時間的制御または太陽追従でもよくいずれの方法でもよい。
太陽電池３は太陽が昇る略東側から太陽が沈む略西の方向に水平面に対して略垂直に向きして太陽からの光を受光できるものである。
前記二つの太陽電池面１，３により発生する電気の和は配線を介して蓄電池３０に蓄えられる。またはインバータやインバータ付きコンデショナを通じて商用電源に接続してもよい。
【実施例５】
【０１０８】
実施例５は図１１に示す様であり、支柱の上先端に略上方向に向きする太陽電池面と、支柱の側面に略垂直方向に向きする太陽電池面を具備して、前記略垂直方向に向きする太陽電池面を前記支柱を略中心として水平方向に回転させる事を特徴とすると共に、前記二つの方向に向きする太陽電池面に太陽の光を同時に受光し発生する電力にて発電する事を特徴とする受光装置や発電装置である。請求項については実施例４と同じである。
【０１０９】
支柱の下部１８に電動機１０を設け、この電動機１０により略垂直方向に向きする太陽電池面３、略上方向に向きする太陽電池１を同時に回転させる構造となっている。
【０１１０】
支柱の上部１７には、略垂直方向に向きする太陽電池面３と略上方向に向きする太陽電池面１が固定または固着されており、支柱の上部１７はベアリング等１３と軸１２を介して電動機１０、減速機１１と連結され、前記太陽電池面１、３を回転させるものである。
【０１１１】
他は実施例４と同じである。請求項は実施例４と同じである。効果についても同じである。
【実施例６】
【０１１２】
実施例６は図１２であり、立体の柱状の上面に略上方向に向きする太陽電池面１と、前記太陽電池面の下側であり、立体の柱状の側面に略垂直方向に向きする太陽電池面３を具備して、前記二つの方向に向きする太陽電池面に太陽の光を同時に受光し発生する電力にて発電する事を特徴とする受光装置や発電装置である。
【０１１３】
立体柱状の箱体１９に水平面に対して略上方向に向きする太陽電池１と、略垂直方向に向きする太陽電池３を具備し、春夏秋冬の季節における太陽の高度の変化に対して略一定の受光量を得て発電を行う受光装置や発電装置である。
主に日中における受光を目的とし、朝夕方の受光を目的としていない。
【０１１４】
本実施例の電源においては、略垂直方向に向きする太陽電池面３を具備する側面以外の太陽電池を具備しないない側面を側面２０としている。
立体柱状の箱体１９の底部分には移動、固定の為の車輪２２が具備されている。
【０１１５】
略上方向に向きする太陽電池面１と、前記太陽電池面の下側にあり外側面に略垂直方向に向きする太陽電池面３を具備し、前記二つの方向に向きする太陽電池面に太陽の光を同時に受光し発電する事を特徴とする受光装置や発電装置である。
【０１１６】
なお本実施例は略垂直方向に向きする太陽電池面３を箱体１９に固定せずに、太陽電池面３と箱体１９を蝶番等にて連結して、太陽電池面３を上方向に可動として移動し、略上方向に向きする太陽電池面１と同様な面までに移動して固定できる様にしてもよい。
【実施例７】
【０１１７】
実施例７は図１３に示す様であり、立体の柱状の上面に略上方向に向きする太陽電池面と、前記太陽電池面の下側の立体の柱状の側面に略垂直方向に向きする太陽電池面を具備して、前記二つの方向に向きする太陽電池面に太陽の光を同時に受光し発生する電力を得る事を特徴とする受光装置や発電装置である。
【０１１８】
略上方向に向きする太陽電池面１と、前記太陽電池面の下側の外側に水平面に対して略垂直方向に向きする太陽電池面３を複数並べた太陽電池群はからなっている。前記二つの面により作られた二面角の外角に（L字形の外角に)太陽電池面を具備していて、これらを横に複数並べた太陽電池群からなり、前記二つの方向に向きする太陽電池面に太陽の光を同時に受光させて発電する事を特徴とする受光装置や発電装置である。（Ａタイプと呼ぶ）
略垂直方向に向きする太陽電池面３は通常南向きに設置されるが設置方向はこの限りではない。
【０１１９】
この様な太陽電池群は、建物の屋上の縁、各階周りの縁、河川土手の縁、高架橋の縁がＬ形柱２１に相当し、これらの縁に沿って設置が可能である。
また太陽電池群においては、図２５に示す様に、略上方向に向きする太陽電池面と、略垂直方向に向きする複数の太陽電池面を階段状に設けてもよい。
【０１２０】
略上方向に向きする太陽電池面１を複数並べられた太陽電池群にて受光による発生する電力と、略垂直方向に向きする太陽電池面３を複数並べられた太陽電池群にて受光による発生する電力は、蓄電池、インバータまたはインバータ機能付きコンデショナに送られ、商用電源または家庭内に流れる事となる。
【０１２１】
この電源は大容量発電に効果がある。太陽の高度の変化のある季節に係わらず専有面積における総発電量を多く得る事ができる。
【実施例８】
【０１２２】
図１４の様に、略上方向に向きする太陽電池面１と、前記太陽電池面の端側の下側の外側に水平面に対して略垂直方向に向きする太陽電池面３との関係（Ａタイプ）において、図３、図８、図９、図１０、図１１、図１２、図１３、図１５、図１６に示す実施例に応用できる。
【０１２３】
略上方向に向きする太陽電池面１と略垂直方向に面する太陽電池面３の二つの太陽電池面は個別に設けて接していてもよいし、一体でもよいし、二つの面に同時に受光できる範囲であれば離れていてもよい。
【０１２４】
前記２つの太陽電池面の関係においては、略上方向に向きする太陽電池面１の下側であれば、略上方向に向きする太陽電池面１の内側に略垂直方向に向きする太陽電池面３を具備する様にしてもよい。支柱の最先端に略上方向に向きする太陽電池面１と略垂直方向に向きする太陽電池面３を側面にそれぞれ具備する電源に該当する場合がある。
【０１２５】
略上方向に向きする太陽電池面１と略垂直方向に向きした太陽電池面３は個別で設けて、前記２つの太陽電池面を離して設ける場合の間隔は、前記２つの太陽電池面が同時に受光できる間隔であればよい。
【０１２６】
また略上方向に向きする太陽電池１と略垂直方向に向きした太陽電池面３は電気的にも形状的にも一体にして１つの太陽電池を折り曲げて設けてもよい。
【実施例９】
【０１２７】
実施例９は図１５に示す様である。立体の柱状の上面に略上方向に向きする太陽電池面１と、立体の柱状の側面に略垂直方向に向きする太陽電池面３を具備して、前記二つの方向に向きする太陽電池を共に水平方向に回転させ、前記二つの方向に向きする太陽電池面に太陽の光を同時に受光し発生する電力を得る事を特徴とする受光装置や発電装置である。
【０１２８】
箱体は上下に分かれ、上部は可動箱体２３であり、水平方向に回転ができる様になっている。下部は固定箱体２４であり、上部箱体２３は軸１２に取り付けられている。減速機１１を介して電動機１０により回転する事を特徴とする電源である。立体柱状の箱体は必ずしも角柱でなくともよく円柱であってもよい。
【０１２９】
この様に垂直方向の太陽電池面３を回転させる事により、太陽電池面を東、南、西等の方向に回転移動させる事ができる。この様にする事により、略垂直に向きする太陽電池を１方向のみに具備させられるので、太陽電池のコストを下げると共に二次元の太陽追従タイプと同様な効果を出す事ができる。
【０１３０】
太陽電池３は太陽が昇る略東側から太陽が沈む略西の方向に水平面に対して略垂直に向きして太陽からの光を受光できるものである。
電動機１０は制御器により、太陽の一日の移動に応じて回転制御され、水平面に対して略垂直に向きして太陽からの光を受光できる方向に面する太陽電池３の移動の制御方法は時間的または太陽追従でもよくいずれの方法でもよい。
前記二つの太陽電池面１，３により発生する電気は配線を介して蓄電池３０に蓄えられる。またはインバータやコンデショナを通じて商用電源に接続してもよい。
【０１３１】
なお本実施例は略垂直方向に向きする太陽電池面３を箱体１９に固定せずに、太陽電池面３と箱体１９を蝶番等にて連結して、太陽電池面３を上方向に可動として移動し、略上方向に向きする太陽電池面１と同様な面までに移動して固定できる様にしてもよい。
【実施例１０】
【０１３２】
実施例１０は図１６に示す様である。立体の柱状の上面に略上方向に向きする太陽電池面１と、前記太陽電池面の下側に立体の柱状の側面に略垂直方向に向きする太陽電池面３を複数具備して、前記二つの方向に向きする太陽電池面に太陽の光を同時に受光し発生する電力にて発電する事を特徴とする受光装置や発電装置である。請求項については実施例６，７と同じである。
【０１３３】
立体柱状の箱体１９に略上方向に向きする太陽電池面１と、略垂直方向に向きし取付けられた太陽電池面３を複数具備し、春夏秋冬の季節の変化においても１日間においても略一定以上の全受光量を得て発電を行う受光装置や発電装置である。
【０１３４】
通常この様な実施例に示す電源の場合、実験で行った様に、例として略上方向に向きして取付けられた太陽電池面１と、東、南、西方向に向きする複数の垂直方向に向いた太陽電池面３を具備している。
前記二つの方向に向きする太陽電池面に太陽の直射日光を同時に受光させ発生する電力を得る受光装置や発電装置である。
【０１３５】
略垂直方向の太陽電池面３は、必ずしも東方向、南方向、西方向の３つ方向にある必要はなく遮蔽物の例えばビル等により日が入り込まない方向が、例えば東方向にある場合、略垂直方向に向きする東方向の太陽電池３は必要はない。
【０１３６】
略上方向に向きする太陽電池面と、前記太陽電池面の下側にあり外側面に略垂直方向に向きする太陽電池面とを具備し、前記二つの方向に向きする太陽電池面に太陽の光を同時に受光し発生する電力を得る事を特徴とする受光装置または発電装置である。
【０１３７】
または、立体の柱状の上面に略上方向に向きする太陽電池面と、立体の柱状の側面に略垂直方向に向きする太陽電池面を具備して、前記二つの方向に向きする太陽電池面に太陽の光を同時に受光し発生する電力を得る事を特徴とする発電装置または受光装置とも言える。
【０１３８】
なお本実施例は略垂直方向に向きする太陽電池面３を箱体１９に固定せずに、太陽電池面３と箱体１９を蝶番等にて連結して、太陽電池面３を上方向に可動として移動し、略上方向に向きする太陽電池面１と同様な面までに移動して固定できる様にしてもよい。
【０１３９】
他の部分については実施例６と同じである。各太陽電池面の受光の作用は図８、図９と同様である。
【実施例１１】
【０１４０】
図１７は実施例１１を示す。支柱の上先端に水平面に対して略上方向に向きする太陽電池面１と、前記太陽電池面の上側の支柱の側面に略垂直方向に向きする太陽電池面３を具備して、前記二つの方向に向きする太陽電池面に太陽の光を同時に受光し発生する電力にて発電する事を特徴とする受光装置や発電装置である。
【０１４１】
Ｌ形柱２１の底面である上面には、上方向に向きする太陽電池１と、Ｌ形柱の内側の側面に前記太陽電池面の端側の上方向の垂直方向に向きした太陽電池面３を組み合わせて具備した（Ｂタイプ）例である。
支柱２の上先端にＬ形柱２１は固着されている。
前記二つの方向に向きする太陽電池面に太陽の直射光を同時に受光し発生する電流の和にて電力を得る事を特徴とする受光装置や発電装置である
【０１４２】
他は図３の実施例１（Ａタイプ）と同様である。
【実施例１２】
【０１４３】
実施例１２は  図１１の実施例５がＡタイプに対して、Ｂタイプであり、図２０に示す様である。支柱の上先端に略上方向に向きする太陽電池面１と、前記太陽電池面の上側に略垂直方向に向きする太陽電池面３を具備して、前記二つの太陽電池面を前記支柱を略中心として水平方向に回転させる事を特徴とすると共に、前記二つの方向に向きする太陽電池面に太陽の光を同時に受光し発生する電力にて発電する事を特徴とする受光装置や発電装置である。
【０１４４】
Ｌ形柱２１の底面である上面に上方向に向きする太陽電池面１を、Ｌ形柱２１の側面の内側に垂直方向に向きする太陽電池面３を具備している。支柱上１７の上先端にＬ形柱２１は固着されている。
支柱の上先端１７に略上方向に向きする太陽電池面１と、支柱の側面の上方向に略垂直方向に向きする太陽電池面３の二つの太陽電池面を前記支柱上１７を水平方向に回転させる事を特徴とすると共に、支柱下１８には、支柱上１７を回転させるためにベアリング等１３を介して電動機１０、減速機１１と電動機の軸１７を支柱上に固着している。前記二つの方向に向きする太陽電池面に太陽の光を同時に受光し発生する電流の和にて電力を得る事を特徴とする受光装置や発電装置である。
【０１４５】
この様に垂直方向の太陽電池面３を回転させる事により、太陽電池面を東、南、西等に移動させる事ができる。この様にする事により、略垂直に向きする太陽電池面３を一面として回転させる事により東西南北に回転させる事により、太陽電池の必要数を減らしてコストを下げると共に二次元移動する太陽追従タイプと同様な効果を出す事ができる。
【０１４６】
略上方向に向きする太陽電池面と、前記太陽電池面の上側にあり内側面に略垂直方向に向きする太陽電池面とを具備し、前記二つの方向に向きする太陽電池面に太陽の光を同時に受光し発生する電力を得る事を特徴とする受光装置または発電装置である。
他は実施例５（Ａタイプ）と同様である。
【実施例１３】
【０１４７】
実施例１３は図２１に示す様である。立体柱状のＬ形柱２１の上面に略上方向に向きする太陽電池面１と、前記太陽電池面の上側の立体柱状の側面に略垂直方向に向きする太陽電池面３を具備して、前記二つの方向に向きする太陽電池面に太陽の光を同時に受光し発生する電力にて発電する事を特徴とする受光装置や発電装置である。
【０１４８】
Ｌ型柱２１の底面である上面には略上方向に向きする太陽電池面１と、Ｌ形柱２１の側面の内側には略垂直方向に向きする太陽電池面３が固定されている。（Ｂタイプ）
Ｌ型柱２１の底面には車輪２２が回転できる様に固定されている。
【０１４９】
略上方向に向きする太陽電池面１と、略垂直方向に向きする太陽電池面３と、前記二つの面にて作られた二面角の内側に（L字形の内側に）太陽電池の受光面を具備し、前記二つの方向に向きする太陽電池面に太陽の光を同時に受光させ発生する電力を得る事を特徴とする受光装置や発電装置である。
【実施例１４】
【０１５０】
実施例１４は図２２に示す様である。立体の柱状の上面に略上方向に向きする太陽電池面１と、立体の柱状の側面に略垂直方向に向きする太陽電池面３を具備して、前記二つの方向に向きする太陽電池面を共に水平方向に回転させ、前記二つの方向に向きする太陽電池面に太陽の光を同時に受光し発生する電力にて発電する事を特徴とする受光装置や発電装置である。
【０１５１】
装置は上下に分かれ、上部はＬ形柱２１であり、Ｌ形柱２１の底面である上面には略上方向に向きする太陽電池面１と、Ｌ形柱の側面である前記太陽電池面の端側の下側の内側には水平面に対して略垂直方向に向きする太陽電池面３とを具備し回転ができる様になっている。
前記二つの方向に向きする太陽電池面に太陽の光を同時に受光し発生する電流の和にて発電する事を特徴としている電源である。
下部は固定箱体２４であり底面には回転可能な車輪２２が取り付けられている。Ｌ形柱２１が電動機により回転する事を特徴としている。
【０１５２】
この様に垂直方向の太陽電池面３を回転させる事により、太陽電池面を東、南、西等に移動させる事ができる。この様にする事により、略垂直に向きする太陽電池を１方向のみに必要数を設定しコストを下げると共に太陽追従タイプと同様な効果を出す事ができる。
【０１５３】
上部箱体２３は電動機軸１２を介して電動機１０と減速機１１に取り付けられている。
電動機１０は制御器により、太陽の一日の移動に応じて回転制御され、水平面に対して略垂直に向きして太陽からの光を受光できる方向に面する太陽電池３の移動の制御方法は時間的制御または二次元の太陽追従でもよくいずれの方法でもよい。
太陽電池３は太陽が昇る略東側から太陽が沈む略西の方向に水平面に対して略垂直に向きして太陽からの光を受光できるものである。
前記二つの太陽電池面１，３により発生する電気は配線を介して蓄電池３０に蓄えられる。またはインバータやコンデショナを通じて商用電源に接続してもよい。
【０１５４】
略上方向に向きする太陽電池面と、前記太陽電池面の上側にあり内側面に略垂直方向に向きする太陽電池面とを具備し、前記二つの方向に向きする太陽電池面に太陽の光を同時に受光し発生する電力を得る事を特徴とする受光装置または発電装置である。
【０１５５】
他は図１５の実施例９（Ａタイプ）と同様である。
【実施例１５】
【０１５６】
図１３の実施例７のＡタイプに対して、本発明の実施例１５は図２３に示すＢタイプである。立体の柱状の上面に略上方向に向きする太陽電池面と、前記太陽電池面の上側の、立体の柱状の側面に略垂直方向に向きする太陽電池面を具備して、前記二つの方向に向きする太陽電池面に太陽の光を同時に受光し発生する電力にて発電する事を特徴とする受光装置や発電装置である。
【０１５７】
略上方向に向きする太陽電池面１と、前記太陽電池面の端側の上側の内側に略垂直方向に向きする太陽電池面３を複数並べた太陽電池群からなっている。前記二つの面により作られた二面角の内側に（Ｌ字形の内角に）太陽電池面を具備していて、これらを横に複数並べた太陽電池群からなり、前記二つの方向に向きする太陽電池面に太陽の光を同時に受光させて発電する事を特徴とする電源である。
この様な太陽電池群は、建物の屋上の縁、各階周りに沿って設置、河川土手の縁に沿って設置、高架橋の縁に沿って設置が可能である。
これらの建物の屋上の縁、各階周り、河川土手の縁、高架橋の縁が立体の柱状のＬ形柱２１に相当する。Ｌ形柱２１の底面である上面には略上方向に向きする太陽電池１とＬ形柱の側面の内側には、略垂直方向に向きする太陽電池３を具備している。
【０１５８】
略上方向に向きする太陽電池面と、前記太陽電池面の上側にあり内側面に略垂直方向に向きする太陽電池面とを具備し、前記二つの方向に向きする太陽電池面に太陽の光を同時に受光し発生する電力を得る事を特徴とする受光装置または発電装置である。
【０１５９】
または、立体の柱状の上面に略上方向に向きする太陽電池面と、立体の柱状の側面に略垂直方向に向きする太陽電池面を具備して、前記二つの方向に向きする太陽電池面に太陽の光を同時に受光し発生する電力を得る事を特徴とする発電装置または受光装置である。
上記以外は実施例７（Ａタイプ）と同様である。
【実施例１６】
【０１６０】
図２４の様に、略上方向に向きする太陽電池面１と、前記太陽電池面の端側の上側の内側に略垂直方向に向きする太陽電池面３との関係（Ｂタイプ）において、図１８、図２０、図２１、図２２、図２３に示す実施例に応用できる。
略上方向に向きする太陽電池面１と略垂直方向に面する太陽電池面３は接していてもよいし、一体でもよいし、同時に受光できる範囲において離れていてもよい。
【実施例１７】
【０１６１】
実施例７の図１３および実施例１５の図２３に示す様に太陽電池群においては、図２６に示す様に、略上方向に向きする太陽電池面１と水平面に対して略垂直方向に向きする太陽電池面３を複数用いて、階段状に設けてもよいし、複数用いてもよく、階段状に用いてもよい。
「略上方向に向きする太陽電池面と、前記太陽電池面の端側の下側の外側に略垂直方向に向きする太陽電池面とを具備した電源」と「略上方向に向きする太陽電池面と、前記太陽電池面の端側の上側の内側に略垂直方向に向きする太陽電池面とを具備した電源」組み合わせと捉える事ができる。
【０１６２】
複数の各々の上方向に向きする太陽電池面１と、複数の各々の垂直方向に向きする太陽電池面３においては、各太陽電池面には前記二つの方向に向きする太陽電池面に太陽の直射光を同時に受光し発生する電流の和による手段にて発電する事を特徴としている。
【０１６３】
実施例４の図１０、実施例５の図１１、実施例９の図１５、実施例１２の図２０、実施例１４の図２２においては、日の出方向、日没方向に合わせて電動機１０の回転角度を設定する事により、略垂直方向に向きする太陽電池面３の方向を制御でき日の出、日の入り時に受光量１００を得ることができる。
【０１６４】
実施例２の図８においては、略垂直方向に向きする太陽電池面３は南方向、太陽電池面７は東方向、太陽電池面５は西方向にそれぞれ配置されているので、朝日夕日を受光できる。また実施例３の図９、実施例１０の図１６においては、略垂直方向に向きする太陽電池３は東方向、南方向、西方向にそれぞれ配置されているので、朝日、夕日を受光できる。
【０１６５】
以下本出願の全ての受光装置および発電装置について共通項目について示す。
【０１６６】
本出願および実施例における電源において、実施例１〜実施例１７における電源においては、バッテリィチャージャと蓄電池を用いて専有面積の少ない独立電源として用いられる事がある。しかし複数個並べて設置し、インバータまたはインバータ機能付きコンデショナを通して商用電源に接続させる場合もある。
用途においては照明塔、広告塔に用いられるが、必ずしも用途においてはこれに限った事ではない。
【０１６７】
本出願および実施例における受光装置または発電装置において、実施例６、７、９、１０、１３、１４は非常用電源、太陽電池による発電機として用いられる事が多いが、必ずしも用途においてはこれに限った事ではない。
【０１６８】
本出願および実施例における受光装置または発電装置において、略上方向に向きする太陽電池面１と、前記太陽電池面の上側の内側に略垂直方向に向きする太陽電池面３とを具備する意味は、図１８、図１９に示す様に「二つの面により作られた二面角の内角に（L字形またはＬ形柱の内角）太陽電池面を具備する」と同等の意味である。
【０１６９】
本出願および実施例における受光装置または発電装置において、支柱の上先端に略上方向に向きする太陽電池面１と、支柱の側面に略垂直方向に向きする太陽電池面３を具備して、前記二つの方向に向きする太陽電池面に太陽の光を同時に受光し発生する電力は配線にて蓄電池３０に接続されるものもある。
蓄電池３０は略上方向に向きする太陽電池１や略垂直方向の太陽電池３の裏面側位置等、太陽の光を受光しない面側位置に取り付けてもよいし、別途設けられた箱体３３に収納して支柱２に取り付けてもよい。
【０１７０】
本出願および実施例における受光装置または発電装置において、各請求項における「略垂直方向に向きする太陽電池面３」は「略垂直に向きして太陽からの光を受光できる方向に面する太陽電池面３」と同等である。
【０１７１】
本出願および実施例における受光装置または発電装置において、蓄電池を取り付けて用いるタイプと、蓄電池とインバータを用いるタイプと、インバータを用いるタイプと、インバータ機能付きコンデショナを取り付け商用電源に接続するタイプの４種類ある。
【０１７２】
本出願および実施例における受光装置または発電装置においては、電源設備、電源装置、電源機器を含むものとする。
【０１７３】
本出願および実施例における受光装置または発電装置において、略上方向に向きする太陽電池１は、略水平に取り付けられていてもよく、また斜めに取り付けられていてもよいが、上方向の向きに取り付けられている必要がある。よって「略」上方向と表現している。「略」垂直方向についても、図１４、図２４の各種状態があり得るが、基本的には、上方向に向きする太陽電池面１と垂直方向に向きする太陽電池面３がなす二面角は略直角である。
【０１７４】
本出願および実施例における受光装置または発電装置において、略上方向に向きする太陽電池１は、斜めに取り付けられている場合は通常、日光の入射角を垂直になる様にする為である。
他に斜めに取り付ける他の理由としては、雨を流すため、積雪が流れ落ちる様に、太陽の高度に合わせて水平線に対して斜めに取り付けられる場合が多い。
【０１７５】
本出願および実施例における受光装置や発電装置において、略上方向に向きする太陽電池面１と、略垂直方向に向きする太陽電池面３の二つの太陽電池面を一体とし、受光装置や発電装置も権利の範囲に含むものとする。
【０１７６】
本出願および実施例における受光装置や発電装置において、略上方向に向きする太陽電池１は一枚で構成されていてもよいし、複数枚で構成されていてもよい。
略垂直方向に設けられた太陽電池３においても、その構成は一枚でもよいし複数枚であってもよい。
【０１７７】
本出願および実施例における受光装置または発電装置において、略上方向に向きする太陽電池面１と、略垂直方向に向きして設けられた太陽電池面３の、二つの太陽電池の関係を説明し易くする為に二つの太陽電池は同じ性能であるものとして検討した。
しかしながら実際には、略上方向に向きする太陽電池１と略垂直方向に向きする太陽電池面３の大きさ広さや、性能は必ずしも同じでなくともよいし、季節や用途や必要な出力によって、太陽電池の性能、大きさは適選適度にて決定できるものとする。
基本的には設計上問題がなければ、略上方向に向きする太陽電池面１と略垂直方向に向きする太陽電池面３の大きさ、枚数は同等が良い。
【０１７８】
本出願および実施例における受光装置または発電装置において、夕日と朝日の場合は光が地表に斜めに到達するので、光が大気圏内を通過する距離が長くなり、大気に含まれる水蒸気、塵、微粒子等により地上に到達するまでにある程度の光の減哀を生じる。これらを加味して太陽電池面の大きさを決定する。
【０１７９】
本出願および実施例における受光装置または発電装置において、朝日または夕日において減哀度が大きい場合は、支柱タイプにおいても、立体柱状タイプにおいても、朝日または夕日に面する太陽電池の受光量および発電量を増すために、朝日または夕日向けの太陽電池による発電については、サイズの大きい太陽電池を用いるか発電量の大きい太陽電池面を用いる場合がある。
【０１８０】
本出願および実施例における受光装置または発電装置において、太陽電池からの出力を並列に用いて、バッテリィチャージャを介して蓄電池に接続する場合は、各々の太陽電池の出力線に逆流防止ダイオード等を用いなければならない。
【０１８１】
本出願および実施例における受光装置または発電装置において、受光量と発電量は、太陽電池の種類特性により異なるので、ここでは受光量と発電量は説明上は比例すると仮定した。
【０１８２】
本出願および実施例における受光装置または発電装置において、太陽電池の受光量はここでは便宜上、直射光を受光する様に記されているが、太陽からの光は大気や雲によりその強弱を表現しにくいので、必ずしも直射光とは限らない。
【０１８３】
本出願および実施例における受光装置または発電装置において、蓄電池３０は単数に設けてもよく、複数の蓄電池を直列接続または並列接続して設けてもよい。
【０１８４】
本出願および実施例における受光装置または発電装置において、配線、蓄電池３０は支柱２の中に収納してもよく、別途箱体に収納して支柱に取り付けてもよい。蓄電池は太陽電池面１，３の裏側に取り付けてもよい。支柱は角柱であっても円形の断面であってもよい。
【０１８５】
本出願および実施例における受光装置や発電装置において、太陽電池は小さな半導体の集まりでもあり、一定以上の受光にて昇圧し電圧は一定となる。その後受光量により電流値が増す。電圧×電流の和は＝電力となるので、電力は電流、電圧、電気との語句に置き換える事ができる。通常各太陽電池面からの出力は並列に接続され、蓄電池やインバーであるＡＣ変換器やインバータ機能のあるコンデショナに送られる。
【０１８６】
本出願および実施例における受光装置または発電装置において、太陽電池はセルの集合から成るモ
ジュールが一般的に市場に流通している。
結晶シリコン太陽電池、薄膜シリコン太陽電池、HIT太陽電池、化合物半導体系太陽電池、色素増感太陽電池、有機薄膜太陽電池等、様々な種類があるが、ここにおける太陽電池においてこれらの種類の限定を行う物ではない。
また、太陽電池はフイルム状の太陽電池でも太陽電池パネルであっても良い。
【０１８７】
本出願および実施例における受光装置または発電装置において、立体柱状とは、略上方向に向きする平面と、略垂直方向に向きする側面を持つ立体であり、正方体、直方体、円柱、台形柱、三角柱、四角柱、多角柱、Ｌ型柱を含むものである。
【０１８８】
本出願および実施例における受光装置または発電装置において、略上方向に向きする太陽電池面１の受光量においては、春夏秋冬における太陽の高度は地球の地軸の傾きに左右される。緯度により太陽の高度は異なるのが、略上方向に向きする太陽電池面１に太陽の光が垂直に受光し、雨、雪の流す事を考慮すれば傾きθ２を３０〜４５°設ける必要がある場合も有り得る。
【０１８９】
よって本出願書においては水平面に対して略上方向に向きする太陽電池面１は都合上垂直方向に向きする太陽電池面３との角度θ１は９０°と記した。しかしながら
前述する、図１４、図２に示す様の各種の図の様に、上方向に向きする太陽電池面１には傾斜θ２を設けてもよい。
【０１９０】
本出願および実施例における受光装置または発電装置において、東西南北は地球の北半球について述べている。よって緯度の高い場所における太陽の日中は南方向となる。
【０１９１】
本出願および実施例における受光装置または発電装置において、略上方向に向きする太陽電池面１と、略垂直方向に向きする太陽電池面３を電気的に接続する場合は、直列和または並列和のいずれかの接続でもよい。
略上方向に向きする複数の太陽電池同士又は略垂直方向に向きする複数の太陽電池同士を用いる場合は直列和または並列和のいずれかの接続でもよい。
【０１９２】
本出願および実施例における受光装置または発電装置において、蓄電池の種類はこれを問わないが、例えば鉛蓄電池、ニッケル水素電池、リチユームイオン電池、カドニューム電池、コンデンサ電池が上げられる。
【産業上の利用可能性】
【０１９３】
発電、非常用電源、広告塔、照明塔の太陽電池による電気エネルギーの取得に利用できる。
【符号の説明】
【０１９４】
１．略上方向に向きする太陽電池
２．支柱
３．略垂直方向に向きする太陽電池
４．アーム
５．略垂直方向に向きする西方向に向きする太陽電池
６．Ａ方向
７．略垂直方向に向きする東方向に向きする太陽電池
８．Ｂ方向
９．略垂直方向に向きする□状の太陽電池
１０．電動機
１１．変速ギヤ
１２．電動機軸
１３．ベアリング等
１４．カバー
１５．Ｃ方向
１７．支柱上
１８．支柱下
１９．立体柱状の箱体
２０．太陽電池なしの側面
２１．Ｌ形柱
２２．車輪
２３．可動箱体
２４．固定箱体
２７．上方向に稼働可能な水平面に対して略垂直方向に向きする太陽電池
３０．蓄電池
３１．バッテリィチャージャ
３２．インバータ
３３．箱体
【図１】
2014175522.tif 000003
【図２】
2014175522.tif 000004
【図３】
2014175522.tif 000005
【図４】
2014175522.tif 000006
【図５】
2014175522.tif 000007
【図６】
2014175522.tif 000008
【図７】
2014175522.tif 000009
【図８】
2014175522.tif 000010
【図９】
2014175522.tif 000011
【図１０】
2014175522.tif 000012
【図１１】
2014175522.tif 000013
【図１２】
2014175522.tif 000014
【図１３】
2014175522.tif 000015
【図１４】
2014175522.tif 000016
【図１５】
2014175522.tif 000017
【図１６】
2014175522.tif 000018
【図１７】
2014175522.tif 000019
【図１８】
2014175522.tif 000020
【図１９】
2014175522.tif 000021
【図２０】
2014175522.tif 000022
【図２１】
2014175522.tif 000023
【図２２】
2014175522.tif 000024
【図２３】
2014175522.tif 000025
【図２４】
2014175522.tif 000026
【図２５】
2014175522.tif 000027
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
立体柱状の上面に略上方向に向きする太陽電池面と、立体柱状の側面に複数の垂直方向に向いた太陽電池面からなり、前記立体柱状の側面に複数の垂直方向に向いた太陽電池面はそれぞれ東向き、南向き、西向きになる様に上面から見てコの字状に配置して具備し、前記略上方向に向きする太陽電池面と前記垂直方向に向きする太陽電池面に、太陽の光を同時に受光し電力を得る事を特徴とする太陽の高度に係わらず一定以上の受光量を可能な受光装置。
【請求項２】
図７の１日の太陽の方向と受光量の関係を示すグラフの様に、太陽の高度に係わらず一定以上の受光量を可能とする請求項１記載の受光装置。